(57)【要約】【課題】大きな反りの発生した光ディスクに対しても安定に情報の記録、再生ができる光ディスク装置を提供する。【解決手段】光ディスクＤに光ビームを照射させる対物レンズ１とフォーカス駆動コイル３とトラッキング駆動コイル４を設けたレンズホルダー２と、マグネット５を配置した基台６と、レンズホルダー２を間にして上下方向ならびに左右方向にそれぞれ配置されて、先端部側をレンズホルダー２に連結し、基端部側を基台６側に連結した複数本のサスペンションワイヤー７ａ〜７ｄとを備えた光ディスク装置において、光ディスクＤの内周側でかつ対物レンズ１側に、傾き補正用部材１２を設けたことを特徴とするものである。【選択図】      図１
2005004801.tif 000002
【特許請求の範囲】
【請求項１】
光ディスクに光ビームを照射させる対物レンズとフォーカス駆動コイルとトラッキング駆動コイルを設けたレンズホルダーと、
マグネットを配置した基台と、
前記レンズホルダーを間にして上下方向ならびに左右方向にそれぞれ配置されて、先端部側を前記レンズホルダーに連結し、基端部側を前記基台側に連結した複数本のサスペンションワイヤーとを備え、
前記フォーカス駆動コイルならびにトラッキング駆動コイルに電流を流して前記マグネットとの電磁作用により前記対物レンズをフォーカス方向ならびにトラッキング方向に駆動する光ディスク装置において、
前記光ディスクの内周側でかつ対物レンズ側に、先端部側を前記レンズホルダーに連結し、基端部側を前記基台側に連結した弾性を有する傾き補正用部材を設けたことを特徴とする光ディスク装置。
【請求項２】
請求項１記載の光ディスク装置において、前記傾き補正用部材は線材からなり、傾き補正用部材の線径が前記サスペンションワイヤーの線径よりも細いことを特徴とする光ディスク装置。
【請求項３】
請求項１または請求項２記載の光ディスク装置において、前記傾き補正用部材は直線状の延びて、途中に変形部が設けられていることを特徴とする光ディスク装置。
【請求項４】
請求項３記載の光ディスク装置において、前記変形部が円弧部または巻回部であることを特徴とする光ディスク装置。
【請求項５】
光ディスクに光ビームを照射させる対物レンズとフォーカス駆動コイルとトラッキング駆動コイルを設けたレンズホルダーと、
マグネットを配置した基台と、
前記レンズホルダーを間にして上下方向ならびに左右方向にそれぞれ配置されて、先端部側を前記レンズホルダーに連結し、基端部側を前記基台側に連結した複数本のサスペンションワイヤーとを備え、
前記フォーカス駆動コイルならびにトラッキング駆動コイルに電流を流して前記マグネットとの電磁作用により前記対物レンズをフォーカス方向ならびにトラッキング方向に駆動する光ディスク装置において、
前記サスペンションワイヤーのうち、光ディスクの内周側でかつ対物レンズ側に配置される少なくとも１本のサスペンションワイヤーの線径を、他のサスペンションワイヤーの線径よりも大きくしたことを特徴とする光ディスク装置。
【請求項６】
請求項５記載の光ディスク装置において、前記光ディスクの内周側でかつ対物レンズ側に配置される少なくとも１本のサスペンションワイヤーは直線状の延びて、途中に変形部が設けられていることを特徴とする光ディスク装置。
【請求項７】
請求項６記載の光ディスク装置において、前記変形部が円弧部または巻回部であることを特徴とする光ディスク装置。
【発明の詳細な説明】
【０００１】
【発明の属する技術分野】
本発明は、光ディスクに対する情報の記録、再生に用いられる光ディスク装置に係り、特に光ディスク装置における対物レンズの傾き制御機構に関するものである。
【０００２】
【従来の技術】
ＣＤやＤＶＤなどの光ディスクに対して情報の記録、再生を行なう光ディスク装置では、正確に情報を書き込んだり読み出したりするためには、光ディスクの面振れや心振れに対して対物レンズの位置を正確に制御する必要がある。
【０００３】
一般に対物レンズ駆動機構は、対物レンズが保持されているレンズホルダーを弾性支持部材によって基台に連結して、レンズホルダーが変位可能に支持される。前記弾性支持部材は、互いに平行な４本の金属線などからなり、それらの一端をそれぞれ基台に固定し、他端をそれぞれレンズホルダーに固定することでレンズホルダーを弾性支持し、光ディスクとの間隔を制御するフォーカス制御、情報トラックの偏心に対して対物レンズを追従制御するトラッキング制御を行なっている。
【０００４】
そこで、光ディスクの面振れ時の傾きに対応して対物レンズの傾きが制御できれば、より安定な情報の記録再生が可能となる。この対物レンズの傾き制御方法には下記の２つの方法がある。
【０００５】
その１つの制御方法は下記特許文献１に記載されているように、光ディスクの面に対して対物レンズの傾きを電磁的な力により制御する方法である。また簡易的には下記特許文献２に記載されているように、対物レンズを固着したレンズホルダーを４本のサスペンションワイヤーで支持するが、そのうちの光ディスクの外周側に配置される１本のサスペンションワイヤーの線径を他の３本のサスペンションワイヤーの線径よりも細くする方法である。これは、光ディスクの面振れによる傾きが、ターンテーブルに装着される光ディスクの中心から外周に向かって一方向に発生する。そのため、フォーカス制御により対物レンズが駆動される際に光ディスクの面振れによる傾きと同方向に傾いて対物レンズが変位されれば、光ディスクの面振れに有効な対物レンズ駆動装置となる。
【０００６】
【特許文献１】
特公平６−６８８４４号公報
【０００７】
【特許文献２】
特開２００１−１４６９６号公報
【０００８】
【発明が解決しようとする課題】
しかしながら、何れの方法も下記のような問題点があった。
前者の電磁的な力により対物レンズの傾きを最適に調整する光ディスク装置では、レンズホルダーに対してフォーカス駆動用コイルおよびトラッキング駆動用コイルに加えて、チルト制御用コイルを装着するため、次のような問題点がある。まず、レンズホルダーにはチルト制御用コイルを追加したため、そのコイルへの給電用に導電線材も追加して接続しなければならない。このチルト制御用コイルならびに導電線材の追加はコストアップになるとともに、レンズホルダーにチルト制御用コイルを追加した分、レンズホルダーを軽量化する必要があり、また組立作業も煩雑となる。
【０００９】
また後者のもののように対物レンズの傾きをフォーカス制御に連動して行なう場合は、フォーカス制御を行なった際に自動的に対物レンズの傾きを光ディスクの傾きに合うように動作する構成であり、レンズホルダーを支持している４本のサスペンションワイヤーのうちの光ディスクの外周側に配置される１本のサスペンションワイヤーの線径を他の３本のサスペンションワイヤーの線径よりも細くして、対物レンズがフォーカス方向に動作することにより傾きが発生する機構になっている。
【００１０】
しかし、大きな反りを有する光ディスクに対して最適な設計をした場合、サスペンションワイヤーの線径をかなり細くする必要があり、対物レンズの僅かなフォーカス方向の移動で対物レンズに傾きが発生するため、装置組立時の誤差で光ディスクと対物レンズの距離が異なっても対物レンズに傾きが発生する。また光ディスクの高さ調整精度に余裕がなくなり、大きな反りを有する光ディスクに対応することが難しかった。
【００１１】
本発明の目的は、このような従来技術の欠点を解消し、何らかの原因で大きな反りの発生した光ディスクに対しても安定に情報の記録、再生ができる光ディスク装置を提供することにある。
【００１２】
【課題を解決するための手段】
前記目的を達成するため本発明の第１の手段は、光ディスクに光ビームを照射させる対物レンズとフォーカス駆動コイルとトラッキング駆動コイルを設けたレンズホルダーと、
マグネットを配置した基台と、
前記レンズホルダーを間にして上下方向ならびに左右方向にそれぞれ配置されて、先端部側を前記レンズホルダーに連結し、基端部側を前記基台側に連結した複数本のサスペンションワイヤーとを備え、
前記フォーカス駆動コイルならびにトラッキング駆動コイルに電流を流して前記マグネットとの電磁作用により前記対物レンズをフォーカス方向ならびにトラッキング方向に駆動する光ディスク装置において、
前記光ディスクの内周側でかつ対物レンズ側に、先端部側を前記レンズホルダーに連結し、基端部側を前記基台側に連結した弾性を有する傾き補正用部材を設けたことを特徴とするものである。
【００１３】
本発明の第２の手段は前記第１の手段において、前記傾き補正用部材は線材からなり、傾き補正用部材の線径が前記サスペンションワイヤーの線径よりも細いことを特徴とするものである。
【００１４】
本発明の第３の手段は前記第１の手段または第２の手段において、前記傾き補正用部材は直線状の延びて、途中に変形部が設けられていることを特徴とするものである。
【００１５】
本発明の第４の手段は前記第３の手段において、前記変形部が円弧部または巻回部であることを特徴とするものである。
【００１６】
本発明の第５の手段は、光ディスクに光ビームを照射させる対物レンズとフォーカス駆動コイルとトラッキング駆動コイルを設けたレンズホルダーと、
マグネットを配置した基台と、
前記レンズホルダーを間にして上下方向ならびに左右方向にそれぞれ配置されて、先端部側を前記レンズホルダーに連結し、基端部側を前記基台側に連結した複数本のサスペンションワイヤーとを備え、
前記フォーカス駆動コイルならびにトラッキング駆動コイルに電流を流して前記マグネットとの電磁作用により前記対物レンズをフォーカス方向ならびにトラッキング方向に駆動する光ディスク装置において、
前記サスペンションワイヤーのうち、光ディスクの内周側でかつ対物レンズ側に配置される少なくとも１本のサスペンションワイヤーの線径を、他のサスペンションワイヤーの線径よりも大きくしたことを特徴とするものである。
【００１７】
本発明の第６の手段は前記第５の手段において、前記光ディスクの内周側でかつ対物レンズ側に配置される少なくとも１本のサスペンションワイヤーは直線状の延びて、途中に変形部が設けられていることを特徴とするものである。
【００１８】
本発明の第７の手段は前記第６の手段において、前記変形部が円弧部または巻回部であることを特徴とするものである。
【００１９】
【発明の実施の形態】
次に本発明の実施形態を図を用いて説明する。図１は本発明の第１実施形態に係る光ディスク装置の斜視図、図２はその光ディスク装置を別な方向から視た斜視図である。
【００２０】
対物レンズ１はレンズホルダー２に接着剤で固定され、レンズホルダー２の周囲にはフォーカス方向の駆動コイル３が巻装され、レンズホルダー２の左右両側にはトラッキング方向の駆動コイル４ａ，４ｂが巻装されている。
【００２１】
このトラッキング駆動コイル４ａ，４ｂに対向する位置に一対のマグネット５ａ，５ｂが配置され、マグネット５ａ，５ｂは金属製の基台６に接着剤で固定されている。マグネット５ａ，５ｂから発生する磁束は、フォーカス駆動コイル３ならびにトラッキング駆動コイル４ａ，４ｂの有効領域に作用する。
【００２２】
前記レンズホルダー２（対物レンズ１）を上下方向ならびに左右方向に平行に動かすために、レンズホルダー２は平行に配置された４本のサスペンションワイヤー７ａ，７ｂ，７ｃ，７ｄで弾性的に支持されている。サスペンションワイヤー７ａ〜７ｄはレンズホルダー２を間にして上下方向ならびに左右方向にそれぞれ配置され、サスペンションワイヤー７ａは光ディスクＤの内周側でかつ対物レンズ１側に、サスペンションワイヤー７ｂは光ディスクＤの内周側でかつ対物レンズ１から離れる側に、サスペンションワイヤー７ｃは光ディスクＤの外周側でかつ対物レンズ１側に、サスペンションワイヤー７ｄは光ディスクＤの外周側でかつ対物レンズ１から離れる側に、それぞれ配置されている。
【００２３】
各サスペンションワイヤー７ａ〜７ｄの先端部はそれぞれレンズホルダー２に半田１１で固定され（図２参照）、サスペンションワイヤー７ａ〜７ｄの基端部はプリント配線基板１０に半田１１で固定されている。プリント配線基板１０は、基台６に固定されている。
【００２４】
サスペンションワイヤー７ａ〜７ｄの基端部側は、振動を減衰するために、ケース９の内側に装填されたゲル状の粘弾性材８ａ，８ｂの中に挿通されている。ケース９は、基台６に接着固定されている。
【００２５】
さらに４本のサスペンションワイヤー７ａ〜７ｄの一端は前記駆動コイル３，４ａ，４ｂに半田付けされ、もう一端はプリント配線基板１０上の制御回路（図示せず）に接続されて、サスペンションワイヤー７ａ〜７ｄを通して駆動コイル３，４ａ，４ｂに電流を流す構成になっている。
【００２６】
光ディスクＤの面振れまたは反りは、光ディスクＤの回転中心Ｏ（図１参照）を支点に傾くため、光ディスクＤの回転中心側の動きを光ディスクＤの変位量に応じて対物レンズ１の位置を変化させることにより、ディスク面に対して対物レンズ１の光軸が垂直になり、安定した情報の記録、再生が可能となる。
【００２７】
そのためには、傾き補正用部材１２をサスペンションワイヤー７ａ〜７ｄよりも光ディスクＤの内周側に配置して、フォーカス方向に対物レンズ１が変化したときにフォーカスの量に応じた傾き（変位）を発生させることが可能となる。傾き補正用部材１２も先端がレンズホルダー２に機械的に連結され、基端部側がゲル状の粘弾性材８ａの中に挿通されてプリント配線基板１０に半田１１で固定されている。４本のサスペンションワイヤー７ａ〜７ｄと傾き補正用部材１２は、例えばピアノ線やベリリウム銅線などの弾性のある線材で構成されている。
【００２８】
図３は、前記４本のサスペンションワイヤー７ａ〜７ｄと傾き補正用部材１２の配置状態と線径を示す断面図である。同図に示すように傾き補正用部材１２は４本のサスペンションワイヤー７ａ〜７ｄのうちで光ディスクＤの内周側でかつ対物レンズ１に近い方に配置されている１本のサスペンションワイヤー７ａの近くで、そのスペンションワイヤー７ａよりもさらに光ディスクＤの内周側に配置されている。図中の矢印Ｘは、光ディスクＤの内周側を示している。
【００２９】
サスペンションワイヤー７ａ〜７ｄの線径ｄ１（例えば０．０９ｍｍ）に対して傾き補正用部材１２の線径ｄ２は細く（例えば０．０４ｍｍ）なっている。また傾き補正用部材１２の中間に円弧部１３が設けられ、これによりフォーカス方向の僅かな変化では力の発生が小さく、レンズホルダー２の傾き変化が僅かしか発生しない。
【００３０】
フォーカス変化量が例えば０．１５ｍｍ程度までは傾きがほとんど変化せず、０．１５ｍｍより大きくなった場合に光ディスクＤの傾きと同等にレンズホルダー２が傾く構成にすることにより、光ディスクＤを回転駆動するスピンドルモータ（図示せず）の高さのバラツキ範囲では異常な動作をしない対物レンズの傾き制御機構を構成することができる。また、装置の組立調整の精度も従来通りで問題なく、熱変形などで異常な反りが発生した光ディスクＤにおいても安定した記録、再生が可能である。
【００３１】
図４は、本発明の第２実施形態に係る光ディスク装置の斜視図である。本実施形態で図１に示す第１実施形態と相違する点は、傾き補正用部材１２の途中に円弧部１３の代わりに螺旋状に巻いた巻回部１４を設けた点である。この巻回部１４はゲル状の粘弾性材８ａに埋設されてもよいし、埋設されなくてもよい。
【００３２】
なお、前記第１，２実施形態において、傾き補正用部材１２は電流を流す必要が無いため、必ずしも金属線で構成する必要はなく、弾性のある合成樹脂でも構わない。また、形状は線状でなくても細片状のものでも構わない。
【００３３】
図５は、本発明の第３実施形態に係る光ディスク装置における４本のサスペンションワイヤー７ａ〜７ｄの線径を示す断面図である。本実施形態で図３に示す第１実施形態と相違する点は、４本のサスペンションワイヤー７ａ〜７ｄのうちで光ディスクＤの内周側でかつ対物レンズ１に近い方に配置されている１本のサスペンションワイヤー７ａを他の３本のサスペンションワイヤー７ｂ〜７ｄの線径よりも大きくした点である。
【００３４】
本実施形態ではサスペンションワイヤー７ａの線径ｄ３を０．１３ｍｍ、他の３本のサスペンションワイヤー７ｂ〜７ｄの線径ｄ１を０．０９ｍｍとした。この実施形態においても、前記サスペンションワイヤー７ａの途中に円弧部や巻回部を設けることも可能である。
【００３５】
【発明の効果】
光ディスクの面振れまたは反りは、光ディスクの回転中心を支点（基準）に傾く（変形する）ため、光ディスクの回転中心側（内周側）の変位量に応じて対物レンズの位置を変化させることにより、光ディスクと対物レンズの間隔が常に一定に維持されて、安定した情報の記録、再生が可能となる。
【００３６】
そのためには、請求項１記載のように、光ディスクの内周側でかつ対物レンズ側に、先端部側をレンズホルダーに連結し、基端部側を基台側に連結した弾性を有する傾き補正用部材を設けるか、或いは請求項５記載のように、サスペンションワイヤーのうち、光ディスクの内周側でかつ対物レンズ側に配置される少なくとも１本のサスペンションワイヤーの線径を、他のサスペンションワイヤーの線径よりも大きくする手段が有効であり、大きな反りの発生した光ディスクに対しても安定に情報の記録、再生が可能である。
【図面の簡単な説明】
【図１】本発明の第１実施形態に係る光ディスク装置の斜視図である。
【図２】その光ディスク装置を別な方向から視た斜視図である。
【図３】その光ディスク装置における４本のサスペンションワイヤーと傾き補正用部材の配置状態と線径を示す断面図である。
【図４】本発明の第２実施形態に係る光ディスク装置の斜視図である。
【図５】本発明の第３実施形態に係る光ディスク装置における４本のサスペンションワイヤーの線径を示す断面図である。
【符号の説明】
１：対物レンズ、２：レンズホルダー、３：フォーカス駆動コイル、４ａ，４ｂ：トラッキング駆動コイル、５ａ，５ｂ：マグネット、６：基台、７ａ〜７ｄ：サスペーンションワイヤ、８ａ，８ｂ：粘弾性材、９：ケース、１０：プリント配線基板、１１：半田、１２：傾き補正用部材、１３：円弧部、１４：巻回部、Ｄ：光ディスク、Ｏ：光ディスクの回転中心、Ｘ：光ディスクの内周側、ｄ１，ｄ３：サスペーンションワイヤの線径、ｄ２：傾き補正用部材の線径。
【図１】
2005004801.tif 000003
【図２】
2005004801.tif 000004
【図３】
2005004801.tif 000005
【図４】
2005004801.tif 000006
【図５】
2005004801.tif 000007